(57)【特許請求の範囲】
【請求項１】
情報記憶ディスクをディスクドライブ内に固定する方法において、
（ａ）  前記情報記憶ディスクをスピンドル上に設けたハブに装着する段階にして、前記ハブは、環状フランジを有する外周リングと、内環状肩部とを有し、前記環状フランジの上面は、ディスク装填面を画成し、また内環状肩部の上面は、前記ディスク装填面と平行とされ、前記情報記憶ディスクは、その上面が該内環状肩部の上面とほぼ面一となるように前記ディスク装填面に配置される段階と、
（ｂ）  ディスククランプを前記ハブ上に配置する段階にして、該ディスククランプが、内環状接触部と、該内環状接触部より上方に変位した中間環状隆起部と、該中間環状隆起部から下方に変位した周辺縁とを有し、該周辺縁が前記ディスク装填面の直上に位置するように該ディスククランプを配置する段階と、
（ｃ）  所定の予荷重を上記ディスククランプに加えて、前記周辺縁で前記情報記憶ディスクの上面を押圧する段階と、
（ｄ）  ディスククランプナットを前記スピンドルに締め付けて前記ディスククランプの前記内環状接触部を前記ハブの内環状肩部の上面に押圧して、該ディスククランプを前記ハブに固定させる段階と、
（ｅ）  前記予荷重を前記ディスククランプから開放する段階と、
を含む方法。
【請求項２】
請求項１による方法において、前記予荷重力を前記ディスククランプの前記中間環状隆起部にだけ加える方法。
【請求項３】
ディスクドライブ組立体にして、軸および上記軸から半径方向外方に延在する円筒形ハブを有するスピンドルにして、
前記ハブは、環状フランジを有する外周リングと、内環状肩部とを有し、前記環状フランジの上面は、ディスク装填面を画成し、また内環状肩部の上面は、前記ディスク装填面と平行とされているスピンドルと、
上面が前記ハブの内環状肩部の上面とほぼ面一となるように前記ディスク装填面に配置された情報記憶ディスクと、
前記スピンドルの軸に装着され、内環状接触部と、該内環状接触部から上方に変位した中間環状隆起部と、該中間環状隆起部から下方に変位した周辺縁とを有し、該内環状接触部が前記ハブの内環状肩部の上面と接触し、かつ該周辺部が前記ディスク装填面の直上に位置するように前記ハブ上に配置されたディスククランプと、
前記中間環状隆起部に所定の予荷重を加えて前記周辺縁を前記情報記憶ディスクの上面に押圧した後に前記スピンドルの軸上に締め付けられ、前記内環状接触部を前記ハブの内環状肩部の上面に押し付けて前記ディスククランプを固定するディスククランプナットと、
を有するディスクドライブ組立体。
【発明の詳細な説明】
【０００１】
（発明の分野）
この出願は、磁気ディスクドライブに関し、更に詳しくはディスクドライブ内に情報記憶ディスクを取付けるための改良したディスクドライブスピンドルモータに関する。
【０００２】
（発明の背景）
ディスクドライブは、回転する情報記憶ディスク上の記憶媒体に磁気形式でディジタルデータを記憶するデータ記憶装置である。現代のディスクドライブには、磁化可能媒体で塗被し且つ一定高速で回転するためにスピンドルモータのハブに取付けた、一つ以上の剛性ディスクがある。情報は、典型的にはこれらのディスクに相対的に動かすためにラジアルアクチュエータに取付けた変換器（ヘッド）のアレイによって、複数の同心円状トラックでディスク上に記憶する。これらの同心トラックの各々は、一般的に複数の別々のアドレス可能データセクタに分割してある。読み／書き変換器、例えば、磁気抵抗読み／書きヘッド、を使ってデータを所望のトラックと外部環境の間で変換する。書込み作業中、データをディスクトラック上に書込み、および読取り作業中、ヘッドがこのディスクトラック上に先に書込んだデータを検知し、この情報を外部環境へ変換する。これらの作業の両方に重要であるのは、所望のトラックの中心上にヘッドを正確に位置付けることである。
【０００３】
これらのヘッドは、アクチュエータ本体から半径方向に外方に突出する複数のアクチュエータアームの端に屈曲部を介して取付けてある。このアクチュエータ本体は、ディスクの外端に近接した位置でディスクトラックハウジングに取付けてある軸の周りに回転する。このピボット軸は、スピンドルモータおよびディスクの回転軸と平行であり、それでこれらのヘッドは、ディスクの表面と平行な平面を動く。
【０００４】
スピンドルモータ組立体は、屡々回転不能スピンドル軸に支承した回転スピンドルハブを利用する。ディスククランプは、典型的に、取付けた情報記憶ディスクおよびディスクスペーサ上に下向き軸方向力を掛けるために回転スピンドルハブに固定してある。典型的に、このディスククランプは、スピンドルハブに締めた一連の放射状に配置したねじによって下向き力を加える。これらのねじの放射状配置は、クランプ力をスピンドル組立体に加えるために有利であり、それは、この力をクランプの周辺で、取付けた情報記憶ディスクおよびディスクスペーサに極めて接近して掛けるからである。しかし、ディスククランプでの一連のねじの周辺配置は、下向き力を不均一な方法で加えるようにする。不均一なクランプ力は、一般的に負荷力に変動を生じ、結果として、上端に取付けた情報記憶ディスクを物理的に歪める。上端ディスクの歪みは、２．５μｍほどだけでも、情報記憶ディスク上へのデータの記録および再生中の誤動作に繋がることがある。
【０００５】
第２の種類のスピンドルモータ組立体では、スピンドル軸とスピンドルハブ部が共にベアリングスリーブの周りに回転する。ここで、単一ねじを使ってディスククランプを回転スピンドル軸に固定することができ、それはこの軸が（複数のねじを軸の周りに配置しなければならない、回転不能軸と違って）ねじと共に回転するからである。しかし、回転不能軸を囲む複数のねじによって発生する力に類似するクランプ力を単一ねじで発生するためには、遙かに高いトルクをこの単一ねじに加えることが必要である。この比較的高いトルクは、スピンドル軸ベアリングの過大応力および締付け作業中の粒子発生を含む多数の問題に繋がることがある。これらの高トルク関連問題は、ベアリングを損傷し、スピンドルモータの破損に繋がることがある。現在、関連技術で回転不能複数ねじスピンドル軸スピンドルモータは勿論、伝統的単一ねじディスクドライブスピンドルモータ組立体の欠点を克服する必要がある。
【０００６】
（発明の概要）
この背景に対して、本発明を開発した。本発明は、情報記憶ディスクをスピンドルモータ上に装填するための装置および方法である。
【０００７】
本発明の好適方法によれば、情報記憶ディスクをディスクドライブスピンドルモータのハブ上に組立て、ディスククランプをこのハブ上に配置してこのディスククランプの外縁が組立てた情報記憶ディスクの上面と係合するようにする。所定の予荷重力をこのディスククランプに掛ける。ディスククランプナットをこの予荷重を掛けたディスククランプ上に配置し、このディスククランプをハブに固定し、一旦固定すると、予荷重力をこのディスククランプから解放する。
【０００８】
本発明は、更に、軸およびこの軸から半径方向に外方に伸びる円筒形ハブを有するスピンドルを含むディスクドライブスピンドルモータ組立体で、この軸がこの円筒形ハブの上面の上へ伸びるねじ付きスタッドを含む組立体として実施できる。一つ以上の情報記憶ディスクをこの円筒形ハブ上に取付ける。中央開口、内環状接触部、中間環状隆起部および周辺縁を有するディスククランプをこのねじ付きスタッドの上に嵌めてこの内環状接触部にこのハブ上面と係合させ、一方周辺縁は、情報記憶ディスクの上面と係合する。この中間環状隆起部は、このハブの上面の上へ伸び、予荷重力を受けるように成っている。このディスククランプの内環状接触部と係合するための接触面を有するディスククランプナットをこのねじ付きスタッドに締結し、この予荷重を掛けたディスククランプをこのハブに固定する。
【０００９】
本発明を特徴付ける利点は勿論、これらおよび種々のその他の特徴が以下の詳細な説明を読み且つ関連する図面を検討すれば明白だろう。
【００１０】
（詳細な説明）
本発明の好適実施例に従って構成したディスクドライブ１００を図１に示す。このディスクドライブ１００は、ディスクドライブ１００の種々の部品が取付けてあるベース板１０２を含む。上カバー（図示せず）がこのベース１０２と協同して、従来の方法でこのディスクドライブのための内部密閉環境を作る。これらの部品には、ディスクドライブモータスピンドル組立体１０４（図２）があり、それは、一つ以上の情報記憶ディスク１０８を一定高速で回転するスピンドルモータ１０６（図２）を含む。情報は、ディスク１０８に隣接して位置するベアリング軸組立体１１２の周りに回転するアクチュエータ組立体１１０を使うことによって、ディスク１０８上のトラック１０９から読み書きする。このアクチュエータ組立体１１０は、ディスク１０８の方へ伸びる複数のアクチュエータアーム１１４を含み、各アクチュエータアーム１１４から一つ以上の屈曲部１１６が伸びる。各屈曲部１１６の末端に取付けてあるのは、ヘッド１１８で、それはこのヘッド１１８を関連する情報記憶ディスク１０８の対応する表面に近接して浮動させるエアベアリングスライダ（図示せず）を含む。
【００１１】
ヘッド１１８の半径方向位置は、ボイスコイルモータ（ＶＣＭ）１２４を使うことによって制御し、そのモータは、典型的には、アクチュエータ組立体１１０に取付けたコイル１２６、並びにこのコイル１２６が作用を受け磁界を確立する一つ以上の永久磁石１２８を含む。コイル１２６へ電流を制御して印加すると、永久磁石１２８とコイル１２６の間に磁気相互作用を生じ、コイル１２６が周知のローレンツ関係に従って動く。コイル１２６が動くと、アクチュエータ組立体１１０がベアリング軸組立体１１２の周りに回転し、ヘッド１１８がディスク１０８の表面を横切って動かされる。
【００１２】
本発明のディスクドライブスピンドルモータ組立体１０４の代表的断面図を図２に示す。このディスクドライブスピンドルモータ組立体１０４は、一般的に、スピンドルモータ１０６、回転可能スピンドル１３０、ベアリングスリーブ１３２、一つ以上の情報記憶ディスク１０８、ディスククランプ１３４およびディスククランプナット１３６を含む。
【００１３】
更に詳しくは、全体として矩形のベース板１０２が、このベース板１０２から垂直に上方に伸びる円筒壁１４０をもたらすくぼみ１３８を形成することによって、このディスクドライブスピンドルモータ組立体１０４のためのプラントホームとして作用する。
【００１４】
ベアリングスリーブ１３２は、外部スリーブ壁１４４と内部中央空洞壁１４６を形成する。このベアリングスリーブ１３２は、円筒壁１４０の境界内に配置してあり、外部スリーブ壁１４４をこの円筒壁１４０の内部係合面１４２に固定するような直径である。このベアリングスリーブの中央空洞壁１４６も形状が円筒形で、スピンドル１３０の回転軸１５６をベアリングスリーブ１３２の中空空洞内に受ける中央空洞を形成する。ベアリングスリーブ１３２の底部１４８が、ベース板１０２の底面の一部を形成する、下方に伸びる周辺リング１５０を形成する。この周辺リング１５０の内部にそれに隣接して、スピンドル１３０の回転軸１５６を支持するためのスラスト板１５４を受けるための環状切欠き１５２がある。
【００１５】
スピンドル１３０は、軸１５６の上端にねじ付きスタッド１５８を含む。ハブ１６０がスピンドル軸１５６から放射状に伸びる。軸１５６は、円筒形で、その上に圧印加工した一連の螺旋状のオイル潤滑溝１６２を含むのが好ましく、その場合これらの溝は、この軸１５６がベアリングスリーブ１３２内で回転している間にこの軸を潤滑するためである。軸１５６は、ベアリングスリーブ１３２の中央空洞壁１４４に支承してあり、それでスピンドル１３０の軸１５６がベース板１０２に繋留されるが、ベアリングスリーブ１３２内で自由に回転可能となっている。軸１５６の下端１６４は、スラスト板１５４に固定してあり、その場合このスラスト板１５４がスピンドル１３０にディスクドライブスピンドルモータ組立体１０４の回転によって発生するスラスト荷重を吸収するための面を提供する。
【００１６】
スピンドル１３０のハブ１６０は、上面１６５を有し、それは更に上端内部環状肩１６６および下方に突出する周辺リング１６８を形成する。この周辺リングの端は、下端情報記憶ディスク１７４を受けるための装填面１７２を有する環状フランジ１７０を形成する。環状ディスクスペーサ１７６が下端情報記憶ディスク１７４に積重ねてある。上端情報記憶ディスク１７７は、このディスクスペーサ１７６に積重ねてある。二つのディスク１７４と１７７を図２ないし図４に示すが、二つを超えるディスクおよび対応するスペーサ１７６を本発明に適用できる。更に、本発明は、下端環状フランジ１７０とディスククランプ１３４の間に固定した単一情報記憶ディスクを使用することを包含する。
【００１７】
上端内部環状肩１６６は、スピンドル軸１５６のねじ付きスタッド１５８に隣接する平坦な係合面１７８（図２）を形成する。上端内部環状肩１６６のこの平坦な係合面１７８は、環状フランジ１７０の装填面１７２と実質的に平行に作ってあるのが好ましい。以下に説明するように、ディスククランプナット１３６を受けるために、上端内部環状肩１６６に隣接して、垂直に伸びるねじ付きスタッド１５８を囲むくぼみ１８２が作ってある。
【００１８】
ねじ付きスタッド１５８には、スピンドル組立体回転軸１８３に垂直でありハブ１６０の周辺リング１６８と同心である外ねじを形成する。このねじ付きスタッド１５８は、以下に詳しく説明するように、ディスククランプナット１３６と有効に噛合うような長さおよび大きさだけあればよい。
【００１９】
スピンドル１３０は、周りにコイル１８６が巻いてあるステータコア１８４を有するスピンドルモータ１０６によりスピンドル回転軸１８３の周りに回転される。スピンドル１３０を回転するためにステータコア１８４と協同するのは、スピンドルハブ１６０の下方に突出する周辺リング１６８の内面１９０に取付けてある円筒磁石１８８である。コイル１８６に電流を供給するとき、ステータコア１８４の関連する極の周りに磁界を確立し、本発明のベース板１０２の固定円筒壁１４０とスピンドル１３０の間にトルクが発生し、従って回転を生ずる。
【００２０】
ディスククランプ１３４は、図２に明確に示されており、中央に位置する開口１９２、内環状スピンドル接触部１９４、中間環状隆起部１９６、および更に下方に突出する周辺縁１９８を形成する外縁１９７を含む。図３は、ディスククランプ１３４の開口１９２がスピンドル１３０のねじ付きスタッド１５８の上に取付けてあるのを示す。内環状スピンドル接触部１９４は、平坦で且つ好ましくは環状フランジ１７０の装填面１７２およびハブ平坦係合面１７８と実質的に平行な平面に配置してある底面２００を形成する。
【００２１】
中央ねじ付き開口２０４を有するディスククランプナット１３６は、ディスククランプ１３４の内環状スピンドル接触部１９４の平坦な上面２１０と相互作用するための平坦な係合面２０８を有する肩２０６を形成する。この平坦な係合面２０８は、一般的に環状フランジ１７０の装填面１７２およびハブ平坦な係合面１７８と平行である。ディスククランプナット肩２０６は、スピンドルハブ１６０の環状平坦係合面１７８の内径および外径２１１および２１３（図２）にそれぞれ等しい、内径および外径２０７および２０９を含むのが好ましい。
【００２２】
上記のように、ディスククランプナット１３６の平坦な係合面２０８、ディスククランプ１３４の内環状スピンドル接触部１９４および上端内部環状肩１６６の平坦な係合面１７８が全て環状フランジ１７０の装填面１７２と実質的の平行、従って互いに平行であることが重要である。これらの面間の“平行度”は、以下に非常に詳しく議論するように、情報記憶ディスクをクランプするためにディスククランプ１３４に均一に予荷重を掛けるために重要である。
【００２３】
使用時、ディスククランプ１３４を、図３に示すように、スピンドル１３０のねじ付きスタッド１５８の上に配置する。このディスククランプの内環状スピンドル接触部１９４がハブ１６０の内環状肩１６６上の面１７８と係合し、一方このディスククランプの中間環状隆起部１９６は、スピンドルハブ１６０を接触せずに横切って放射状に突出し、および下方に突出する周辺縁１９８が情報記憶ディスク１７７の上面１８０と、スピンドルハブ１６０に隣接する位置で且つスペーサ１７６およびこのハブの放射状フランジ１７０の直ぐ上にそれらと整列して接触する。一旦ディスククランプ１３４をねじ付きスタッド１５８上の然るべき位置に置くと、図３に矢印２０２として示すような、所定の下向き予荷重力をこのディスククランプの中間環状隆起部１９６に加える。この予荷重力は、ディスククランプ１３４を軸方向に下にスピンドルに取付けた情報記憶ディスク１７７上へ押付ける。この予荷重力２０２は、空気圧によって供給するのが好ましいが、他の圧縮手段によって供給してもよい。この予荷重力をスピンドルモータ回転軸１８３の周りに対称的に環状におよびこの回転軸と直接整列して加えるようにしても良い。各スピンドルモータが同じ所定量の予荷重力２０２を受け、それでスピンドルモータユニット間にクランプ力変動が少ししかないことを保証するようにもできる。このディスククランプが圧縮位置にある間に、ディスククランプナット１３６をこのスピンドルのねじ付きスタッド１５８に結合して、取付けた情報記憶ディスク１７７にこの予荷重を掛けたディスククランプを固定する。このディスククランプに掛けた予荷重力は、ディスククランプナット１３６をスピンドル１３０のねじ付きスタッド１５８に固定するために１．０６〜２．４７Ｎ・ｍのトルクしか必要としないようにできる。
【００２４】
図４は、ディスククランプナット肩面２０８、ハブ１６０の平坦な係合面１７８、上端情報記憶ディスク１７７の上面１８０および環状フランジ１７０の装填面１７２の実質的に平行な面間に圧縮した、撓んだディスククランプ１３４を示す。面１７２と実質的に平行な面１７８、１９４および２０８の向きが、このディスククランプの分布した荷重が均一で情報記憶ディスク１７７の上面に垂直であることを保証する。下端情報記憶ディスク１７４の底面２１４とスピンドルハブ環状フランジ１７０の装填面１７２の間の同等で方向反対の反力が垂直力から生ずる。これら二つの力（垂直力および反力）が全ての係合面の平面に摩擦力を生じ、それが、このディスクドライブが使用中であるかまたは高レベルの衝撃および振動を受けるとき、スピンドル組立体１０６の部品が互いに対してずれるのを防ぐ。
【００２５】
本発明の付加的特徴は、ディスククランプナット肩面２０８およびスピンドルハブ内部環状肩１６６の直径を互いに等しいように選ぶ際に、上端情報記憶ディスクに働く垂直力がスピンドルの回転軸１８３に垂直なままであり、ずれないことである。
【００２６】
最後に、図４に示すように、このディスククランプを予荷重力２０２によって撓めるとき、このディスククランプの内環状スピンドル接触部１９４、このディスククランプの下方に突出する周辺縁１９８、ハブ１６０の平坦な係合面１７８および情報記憶ディスク１７７の上面１８０がほぼ共平面で、実質的に互いに平行であることが好ましい。これらの面の実質的に平行且つほぼ共平面の整列は、予荷重力をこのディスククランプに加えるとき、このディスククランプの分布した荷重が均一で上端情報記憶ディスクに垂直なままであることを保証することを助ける。
【００２７】
図５は、本発明の好適実施例を利用する、ディスクドライブスピンドル組立体上へディスククランプ１３４を固定するための工程を示す流れ図である。作業２９８で、情報記憶ディスクをディスクドライブスピンドルモータのハブ上に組立てる。作業３００で、ディスククランプをスピンドルモータ上の情報記憶ディスクの上に配置する。作業３０２で、このディスククランプを所定の圧縮位置へ撓めるように、この情報記憶ディスクに垂直に均一な予荷重力を掛ける。作業３０４で、この予荷重力が取付けた情報記憶ディスクおよびディスクスペーサを圧縮している間に、ディスククランプナットをスピンドルハブにねじ込んでこのディスククランプをスピンドル組立体に固定する。最後に、作業３０６で、この予荷重力をディスククランプから解放する。
【００２８】
従って、この方法は、均等に分布した所定の予荷重力をスピンドルモータ上のディスククランプに加えることを伴う。このスピンドルモータは、情報記憶ディスクをスピンドルモータ上に固定するために均一な負荷およびその結果の反力を保証するために、この予荷重力の下で一緒に相互作用する一連の面を有する。この所定の予荷重力は、この力および反力がスピンドル回転軸と整列すること、および従ってこのディスククランプを情報記憶ディスク上に均一に装填することを保証する。
【００２９】
要約すると、ここに説明したこの発明の好適実施例は、情報記憶ディスク（例えば、１０８）をディスクドライブ（例えば、１００）内に固定する方法を指向する。この方法は、情報記憶ディスク（例えば、１０８）をディスクドライブスピンドルモータのハブ（例えば、１６０）上に組立てる工程（例えば、工程２９８）および次にディスククランプ（例えば、１３４）をこのハブ（例えば、１６０）上に配置してこのディスククランプの外縁（例えば、１９７）をこの情報記憶ディスク（例えば、１０８）の上面（例えば、１８０）と係合させる工程（例えば、工程３００）を含む。次に、所定の予荷重力（例えば、２０２）をこのディスククランプに掛ける（例えば、工程３０２）。この予荷重を掛けたディスククランプをこのディスクドライブスピンドルモータのハブに固定するように、ディスククランプナット（例えば、１３６）を配置する（例えば、工程３０４）。一旦このディスククランプナットを配置すると、予荷重力をこのディスククランプから解放する（例えば、工程３０６）。
【００３０】
本発明のもう一つの好適実施例で、この方法は、ディスクドライブスピンドルモータ（例えば、１０６）のハブ（例えば、１６０）上に環状ディスクスペーサ（例えば、１７６）および第２情報記憶ディスク（例えば、１７４）を装填する工程を含む。更に、所定の予荷重力（例えば、２０２）をこのスピンドルモータの回転軸（例えば、１８３）の周りに対称に掛けることができ、およびそれが情報記憶ディスク（例えば、１７７）の上面（例えば、１８０）に垂直であることができる。
【００３１】
本発明のもう一つの好適実施例では、このディスククランプが内環状スピンドル接触部（例えば、１９４）、中間環状隆起部（例えば、１９６）および周辺縁（例えば、１９８）を形成し、その場合予荷重力を掛ける工程（例えば、工程３０２）は、このディスククランプ（例えば、１３４）の中間環状隆起部（例えば、１９６）に対してだけ起る。
【００３２】
本発明のもう一つの好適実施例では、このハブ（例えば、１６０）が環状フランジ（例えば、１７０）を有する周辺リング（例えば、１６８）を形成し、この環状フランジ（例えば、１７０）が情報記憶ディスク装填面（例えば、１７２）を形成する。このハブは、更に、環状肩（例えば、１６６）を有する上面（例えば、１６５）を形成し、この環状肩が、この環状フランジ（例えば、１７０）の装填面（例えば、１７２）と実質的に平行な平坦な係合面（例えば、１７８）を形成し、およびこのディスククランプをハブ上に配置する工程（例えば、工程３００）がこのディスククランプの内環状スピンドル接触面（例えば、１９４）をこのハブの環状肩の平坦な係合面（例えば、１７８）上に配置する工程を含む。
【００３３】
本発明のもう一つの好適実施例では、このディスククランプ（例えば、１３４）の内環状スピンドル接触部（例えば、１９４）がこの環状肩（例えば、１６６）の平坦な係合面（例えば、１７８）とディスククランプナット（例えば、１３６）の間に配置してある。
【００３４】
本発明のもう一つの好適実施例では、このディスククランプナット（例えば、１３６）が平坦な係合面（例えば、２０８）を有する肩（例えば、２０６）を形成し、およびこのディスククランプナットをハブ上に配置する工程（例えば、工程３０４）がこのディスククランプナットの平坦な係合面（例えば、２０８）をこのハブの環状肩（例えば、１６６）の平坦な係合面（例えば、１７８）と実質的に平行に整列して配置する工程（例えば、工程３０４）を含む。
【００３５】
本発明のもう一つの好適実施例では、ディスククランプナット（例えば、１３６）をこのハブ上に配置する工程がディスククランプ内環状スピンドル接触部（例えば、１９４）および周辺縁（例えば、１９８）をハブ（例えば、１６０）の環状肩（例えば、１６６）および情報記憶ディスク（例えば、１７７）の上面（例えば、１８０）とほぼ共平面に配置する工程を含む。
【００３６】
本発明のもう一つの好適実施例では、ディスククランプナット（例えば、１３６）の平坦な係合面（例えば、２０８）の内外径（例えば、２０７および２０９）がこのハブの環状肩（例えば、１６６）の平坦な係合面（例えば、１７８）の内外径（例えば、２１１および２１３）と実質的に等しい。
【００３７】
本発明のもう一つの好適実施例では、このディスククランプをハブ上に配置する工程（例えば、工程３００）が、更に、このディスククランプナットの肩部の平坦な係合面のおよびこのハブの環状肩の平坦な係合面のそれぞれの内外径を整列する工程を含む。
【００３８】
本発明の更なる好適実施例は、スピンドル軸（例えば、１５６）およびこの軸から半径方向に外方に伸びる円筒形ハブ（例えば、１６０）を有するディスクドライブスピンドルモータ組立体（例えば、１０４）を有することを含む。このスピンドル軸（例えば、１５６）は、更に、円筒形ハブ（例えば、１６０）の上面（例えば、１６５）の上へ伸びるねじ付きスタッド（例えば、１５８）を含む。上端情報記憶ディスク（例えば、１０８）をこの円筒形ハブ（例えば、１６０）上に取付ける。中央開口（例えば、２０４）、内環状接触部（例えば、１９４）、中間環状隆起部（例えば、１９６）および周辺縁（例えば、１９８）を有するディスククランプ（例えば、１３４）をこのねじ付きスタッド（例えば、１５８）の上に嵌めてこの内環状接触部（例えば、１９４）にこのハブ（例えば、１６０）上面（例えば、１６５）と係合させ、一方周辺縁（例えば、１９８）は、情報記憶ディスク（例えば、１７７）の上面（例えば、１８０）と係合する。このディスククランプ中間環状隆起部（例えば、１９６）は、このハブ（例えば、１６０）の上面（例えば、１６５）の上へ伸び、予荷重力（例えば、２０２）を受けるように成っている。最後に、ディスククランプナット（例えば、１３６）をねじ付きスタッド（例えば、１５８）に固定し、その場合このナットは、この予荷重を掛けたディスククランプ（例えば、１３４）をこのハブに固定するためにこのディスククランプの内環状接触部（例えば、１９４）と係合するための接触面（例えば、２０８）を含む。
【００３９】
本発明のもう一つの好適実施例では、このハブ上面（例えば、１６５）が、更に、環状フランジ（例えば、１７０）の装填面（例えば、１７２）と実質的に平行な平坦な係合面（例えば、１７８）を有する環状肩（例えば、１６６）を形成する。この環状肩平坦係合面（例えば、１７８）は、ディスククランプ（例えば、１３４）を受ける。
【００４０】
本発明のもう一つの好適実施例では、このディスククランプナット（例えば、１３６）が環状フランジ（例えば、１７０）の装填面（例えば、１７２）と実質的に平行な平坦な底面（例えば、２０８）を有する肩（例えば、２０６）を形成する。ディスククランプ（例えば、１３４）をこのディスククランプナット肩（例えば、２０６）の底面（例えば、２０８）とこのハブ（例えば、１６０）の環状肩（例えば、１６６）の平坦係合面（例えば、１７８）の間に固定する。
【００４１】
本発明のもう一つの好適実施例では、このディスククランプナット（例えば、１３６）の平坦な係合面（例えば、２０８）が、このハブ環状肩（例えば、１６６）の平坦な係合面（例えば、１７８）の内外径（例えば、２１１および２１３）と実質的に等しい内外径（例えば、２０７および２０９）を有する。
【００４２】
本発明のもう一つの好適実施例では、このディスククランプ内環状肩（例えば、１９４）および周辺縁（例えば、１９８）が、このハブの環状肩（例えば、１６６）および情報記憶ディスク（例えば、１７７）の上面（例えば、１８０）とほぼ共平面である。
【００４３】
本発明が固有のものは勿論、上述の目的および利点を達成するためによく適合していることが明白だろう。現在好適な実施例をこの開示の目的で説明したが、当業者には容易に思い浮ぶ多数の変更を行うことができる。例えば、ディスククランプナットと相互作用するためのねじ付きスタッドを有するスピンドルモータのハブ部よりも、このハブ部が、係合するテーパ状肩を有するねじ付きディスククランプ保持ねじと相互作用するためのねじ付き開口を形成してもよい。従って、全てのそのような修正、変更および代替案を、開示し且つ前記請求項で定義するこの発明の精神に包含する。
【図面の簡単な説明】
【図１】  この発明の好適実施例による単一ナットディスククランプ組立体を示すために上カバーを除去した、ディスクドライブの平面図である。
【図２】  本発明のディスククランプ組立体の代表的断面図で、スピンドルハブのねじ付きスタッドの上に分解したディスククランプナットおよびディスククランプを示す。
【図３】  図２に類似する代表的断面図で、このディスクドライブスピンドルハブ上に配置したディスククランプおよびこのディスククランプの上面に加える力を示す。
【図４】  図３に類似する、このディスククランプ組立体の代表的断面図で、このディスクドライブスピンドルハブ上に配置したディスククランプおよびディスククランプナットを示す。
【図５】  本発明の好適実施例による単一ナットディスククランプ組立体を組立てるための工程を示す流れ図である。
【図１】
0003727541.tif 000002
【図２】
0003727541.tif 000003
【図３】
0003727541.tif 000004
【図４】
0003727541.tif 000005
【図５】
0003727541.tif 000006